(57)【要約】【課題】  光ディスクドライブを搭載した電子機器装置において、安価で高品位なトレイドアの開閉機構を備えた、意匠性の高い電子機器装置を提供することを目的とする。【解決手段】  装置前面のフロントパネル２０及びトレイドア２２に回転可能に係合するリンク２５を設け、また、トレイドアにはフロントパネルに設けたカムピン２０ｂと係合しトレイドアの動作軌跡を制御するカム２２ｂを設けている。トレイの排出動作により、リンクはトレイに押されて回転し、リンクの回転動作とカムの軌跡に制御された動作により、トレイドアが上側の意匠面を上側に維持したままトレイの下側にスライドして開く。リンクは、ネジリバネにより光ディスクのトレイを押し込む回転方向に与圧がかけられており、トレイが引き込み動作をすると、リンクにかけられ上記ネジリバネの与圧によりトレイドアは閉まる。【選択図】  図６
2008041222.tif 000002
【特許請求の範囲】
【請求項１】
モーターの動力により前後進可能なトレイを備えた電子機器装置において、
装置に対し回転可能に設けられたリンクと、
前記リンクの回転を付勢するバネと、
装置前面に設けられ前記リンクと回転可能に係合したトレイドアとを有し、
前記トレイが開となる際には、前記トレイが前進し前記トレイの前端部が、前記リンクに当接し、前記リンクを回転させ、前記リンクの回転により、前記リンクと回転可能に係合したトレイドアが装置に対し奥側が下降して開き、前記トレイは前進し前記トレイドアの上部に位置して開放され、
前記トレイが閉となる際には、前記トレイは後退し前記トレイドアの上部の位置から装置内部に収納され、
前記トレイの前端部は前記リンクと離れ、前記バネは前記リンクの前記トレイとの当接部を装置奥側に回転させるよう付勢し、前記リンクの回転により、前記リンクと回転可能に係合したトレイドアが装置に対し奥側が上昇して閉じる構成としたことを特徴とする電子機器装置。
【請求項２】
請求項１に記載の電子機器装置において、
前記トレイドアは、前記装置の前面を構成するフロントパネルと、左右方向に位置し連続して形成され、前記トレイドアと前記フロントパネルは奥を上に、前を下となる傾斜面で形成されることを特徴とする電子機器装置。
【請求項３】
請求項２に記載の電子機器装置において、
前記トレイドアと前記フロントパネルの傾斜面は上から下への曲面で連続し構成されることを特徴とする電子機器装置。
【請求項４】
請求項２に記載の電子機器装置において、
前記トレイドアは左右２の前記フロントパネルの間に設けられ、前記フロントパネルのひとつは傾斜角を有した表示部のフロントパネルであり、前記フロントパネルの他方は傾斜角を有したジャック部のドアであることを特徴とする電子機器装置。
【請求項５】
モーターの動力により前後進可能なトレイを備えた電子機器装置において、
装置に対し回転可能に設けられたリンクと、
装置前面に設けられ前記リンクと回転可能に係合したトレイドアとを有し、
前記トレイが開となる際には、前記トレイが前進し前記トレイの前端部が、前記リンクに当接し、前記リンクを回転させ、前記リンクの回転により、前記リンクと回転可能に係合したトレイドアが装置に対し奥側が下降して開き、前記トレイは前進し前記トレイドアの上部に位置して開放され、
前記トレイが閉となる際には、前記トレイは後退し前記トレイドアの上部の位置から装置内部に収納され、
前記リンクの回転により、前記リンクと回転可能に係合したトレイドアが装置に対し奥側が上昇して閉じる構成としたことを特徴とする電子機器装置。
【請求項６】
請求項５に記載の電子機器装置において、
前記トレイドアが閉じた際は、前記トレイドアの上端部である装置に対し奥側端部は、前記装置のトップカバーの前端部へと連なって形成されることを特徴とする電子機器装置。
【請求項７】
モーターの動力により前後進可能なトレイを備えた電子機器装置において、
前端の上下が細くなるように上面に傾斜を持ったフロントパネルと、前記フロントパネルと回転可能に係合するリンク、リンクの回転方向に与圧を与えるバネ、前記リンクと回転可能に係合するヒンジ部と前記フロントパネルに設けられたカムピンと摺動可能に係合するカムとを有するトレイドアを備え、
前記リンクが回転動作することにより、前記リンクの回転動作と前記カムの軌跡に制御された動作により、前記トレイドアが上側の面を上側に維持したままトレイの下側に降りて開くことを特徴とした電子機器装置。
【請求項８】
請求項３に記載の電子機器装置において、
前記モーターの動力により前進動作する前記トレイで前記リンクが押されて回転し、前記リンクの回転動作と前記カムの軌跡に制御された動作により、前記トレイドアが上側の面を上側に維持したままトレイの下側に降りて開くことを特徴とした電子機器装置。
【発明の詳細な説明】
【技術分野】
【０００１】
本発明は、光ディスクドライブを搭載した電子機器装置に係り、特に光ディスクドライブ前面のトレイドアに関する。
【背景技術】
【０００２】
近年、ＤＶＤ（Ｄｉｇｉｔａｌ  Ｖｅｒｓａｔｉｌｅ  Ｄｉｓｃ）とハードディスクを組み合わせて映像音声を記録、再生するＤＶＤレコーダ等の電子機器が登場し、記録した音声映像の劣化が少ないこと、利便性の良さで市場が増大している。一方、近年、販売が伸びてきている液晶パネルやプラズマパネルなどの薄型パネルを採用したフラットテレビでは、ガラスの棚板等を用いた開放的なテレビラックが多くなってきているため、ＤＶＤレコーダ等の電子機器は上記のような開放的なテレビラックに設置されることが多くなり、上面や側面からの視認性を考慮した高品位なデザインが求められている。
【０００３】
図１１は従来技術の一つの表示管視野を示す装置の側面図である。装置本体５１にフロントパネル５０が取り付けられている。また、５２はフロントパネルに内蔵されている表示管の透視位置を示す。従来技術では、表示管が略垂直に取り付けられており、その表示を確認できる視野範囲（表示視野）略水平から、３０°位の範囲しか確保できていない。そのため、装置の設置位置が低い場合、装置に近づくと視点を下げないとその表示内容を確認することが出来ない。
【０００４】
また、上記に関して、特許文献１、特許文献２がある。
【０００５】
【特許文献１】特開２００３−１６８８７５号公報
【特許文献２】特開２００５−３２７３５４号公報
【発明の開示】
【発明が解決しようとする課題】
【０００６】
上記従来技術では、装置本体を小型に見せるために装置前面の上下を絞った形状のフロントパネルなどが提案されている。また、ＤＶＤドライブの前面部においても意匠性の有るドアを設けていることが多く、その開閉機構については、内蔵する光ディスク装置のトレイの前後動作によりトレイドアの開閉動作をさせるものがあるが、その動作においても、体裁を向上させた機構のものである。
【０００７】
上記従来技術では、ＤＶＤドライブのトレイの開閉動作によりトレイドアを押し、トレイドアはヒンジ部を支点に回転動作するものである。
【０００８】
また、装置前面の上下を絞った形状のフロントパネルを用いた上記従来技術では、フロントパネル前面に開口部を設け、光ディスクドライブより直接ディスクを出し入れする構造となっており、光ディスクドライブ前面を完全に覆う意匠性のドアまたはカバーについては言及していない。
【０００９】
本発明では、安価で高品位なトレイドアの開閉機構を備えた、意匠性の高い電子機器装置を実現し提供することを課題とする。
【００１０】
上記課題のために、図７に示すような、装置の正面の他に上面や側面からの視認性を考慮した電子機器装置であるＤＶＤレコーダのデザイン意匠を作成した。そして図７の電子機器装置の意匠ではフロントパネルの上面は前端から、トップカバー１まで連続した曲面により形成され、前端が上下に細くなり極端に上下を薄く見せることができる傾斜面を持った大きなトレイドアとした。この傾斜面を形成したトレイドアを開閉動作させ、トレイを開閉動作させ、ディスクの出し入れを可能にするための、トレイドア開閉機構を実現することが本願発明の目的である。
【課題を解決するための手段】
【００１１】
上述した目的は特許請求の範囲に記載の発明により達せられる。
【発明の効果】
【００１２】
ユーザーにとって、使い勝手の良いトレイドアの開閉機構を有した電子機器装置が得られる。
【発明を実施するための最良の形態】
【００１３】
本発明による電子機器であるＤＶＤレコーダのれいについて、図面を用いて説明する。
【００１４】
図１は本発明の実施例の形態に係るＤＶＤレコーダ全体の分解斜視図である。ＤＶＤレコーダのボトムケース１２にチューナや録画制御回路などを搭載するメイン基板１３、電源基板１４、ＤＶＤホルダ１５、リアパネル８、フロントパネル２０が固定される。内部の熱を排出するファン９はリアパネルに固定される。映像記録のためのＤＶＤドライブ５はＤＶＤホルダ１５に固定され、また、ハードディスク３と６はそれぞれ、ハードディスクホルダ４と７を介し、ボトムケースに固定される。ＤＶＤドライブは、メイン基板とのインターフェイス制御により、ＤＶＤドライブに内蔵されるモーターの動力でトレイ部５ｂを前後にスライド動作し、ディスクの出し入れができる。
【００１５】
トップケース２はボトムケースに固定され、トップカバー１とサイドカバー１０と１１はフックでトップケースにスライドして取り付け、ネジで固定される。ＤＶＤドライブは前から見た水平方向の中心に位置しており、その前面にはトレイドア２２が位置する。
【００１６】
図２はフロントパネル部の分解斜視図を示す。フロントパネル２０には、赤外線リモコンの受光センサー、操作スイッチ、録画状態を示すＬＥＤを搭載する左フロント基板４０、赤外線リモコンの光を受光センサーに誘導する受光窓３１、上記ＬＥＤの光を誘導して表示する録画インジケータ３２と３３が取り付けられ、また、ユーザーが操作し左フロント基板４０上のスイッチを動作させる左ボタン３９、装置の動作状態を表示する表示管４２ａと操作スイッチを搭載する右フロント基板４２、ユーザーが操作し右フロント基板４２上のスイッチを動作させる右ボタン４１、フロントジャックとメモリーカードスロットを搭載するジャック基板２８と板バネ２７がネジで固定される。リンク２５はヒンジ部２５ｂがフロントパネルの軸部２０ａに回転可能に係合し、リンク２５を後方向に押すように付勢し与圧を与えるネジリバネ２６はフロントパネルのピン部２０ｃに固定される。トレイドア２２は本図には示されないがヒンジ部がリンク２５のピン部２５ａと係合し、また、本図には図示されていないがトレイドアの左右に設けられたカムがフロントパネルのカムピン部２０ｂと係合している。また、リンクのギヤと係合するギヤＡ３７と、ギヤ中心に係合するシャフト３８、シャフトに係合するギヤＢ３５、ギヤＢのギヤと係合するオイルダンパー３４、ギヤＡとギヤＢの円筒部と係合するコイルバネ３６がフロントパネルに取り付けられている。
【００１７】
リンク２５が手前方向に回転すると、トレイドア２２はピン２５ａ部で前に押し出され、またカムピンとカムの係合により、トレイドアは手前下方向にスライドしながら下がる動作をする。また、リンクが回転するとギヤＡが従動回転し、トレイドアが開く方向に回転する時はコイルバネが緩みギヤＢとスリップしてトレイ動作の負荷にならないようにし、逆にトレイドアが閉まる方向に回転する時はコイルバネが巻き締まりギヤＢを回転させ、ギヤが係合しているオイルダンパーに回転が伝達し、トレイドアが閉まる時の回転に粘性負荷をかけて静かに締まるようにしている。
【００１８】
ジャックドア２１は、各種外部装置とケーブルで接続可能なジャック部前面のドアである。ジャックドア２１は、ジャック基板４５に取り付けたジャック基板ホルダ２８のピン部と係合し、ドアロックボタン２９は、本図には図示されていないがフロントパネル２０に形成されているシャフトと回転可能に係合し、ドアロックバネ３０はドアロックボタンとフロントパネルの間に取り付けられている。ジャックドアは板バネ２７で後から押されるように付勢され与圧が与えられ、ドアロックボタンの爪部がジャックドアの爪と契合することによりジャックドアを保持し、ドアロックボタンを押すと爪の係合が外れドアが開く構造となっている。フロントボトムケース４３はフロントパネルに取り付けられてネジで固定され、カードドア４４はフロントボトムケースのヒンジ部に回転可能に係合して取り付けられる。
【００１９】
また、ジャック基板２８に搭載されているＬＥＤの光を取り込み前方向に光を偏向させる導光管２３がフロントパネルに取り付けられ、前方向に偏向された光をトレイドア２２のクリア窓部２２ａに誘導するイルミネーションガイド２４がトレイドアに取り付けられる。トレイドアが閉まった状態では、トレイドアのクリア窓部を通してイルミネーションガイドから誘導された光が見え、トレイドアが開いた状態では、導光管により偏向された光により、室内が暗い場合はトレイ上のディスクを出し入れ際の照明の代わりとなる。
【００２０】
図７に示すように、装置の正面の他に上面や側面からの視認性を考慮した電子機器装置であるＤＶＤレコーダのデザイン意匠を作成している。そして図７の電子機器装置の意匠ではフロントパネルの上面は前端から、トップカバー１まで連続した曲面により形成され、前端が上下に細くなり極端に上下を薄く見せることができる傾斜面を持った大きなトレイドアとした。また、トレイドア２２とフロントパネル２０とは左右方向に連続して形成され、双方上下の傾斜面を形成する曲線で連続し、上下方向の曲面となっており、意匠性に優れたものとなっている。
【００２１】
図３はトレイドアが閉まった時のリンクの状態を示すフロント部の断面図である。リンク２５はフロントパネルのピン部２０ａで係合し、トレイドア２２はヒンジ部２２ａで、リンク２５と係合している。本図には示されていないが、リンク２５はネジリバネにより本図の右回転方向に付勢され与圧がかけられている。ＤＶＤ５には、トレイ５ａとトレイ前面の意匠部品であるトレイ銘板５ｂが内蔵され、本図には記載していないがモーター駆動により本図の左右方向に開閉動作する。ＤＶＤドライブのトレイが左方向に開くと、トレイ銘板５がリンクを押し、リンクはヒンジ部２０ａを支点に左回りに回転し、トレイドアのヒンジ部２２ａを左方向に押す。また、トレイドアが閉まった状態ではリンクを垂直より少し右に傾けており、トレイドアが上から下に押された場合は、リンクは右方向に回転するため、トレイドアは閉まる方向に押され不用意に開くことがないようにしている。
【００２２】
図４はトレイドアが開いた時のリンクの状態を示すフロント部の断面図である。ＤＶＤドライブ５のトレイ５ａが左方向に開き、トレイ銘板５ｂで押されたリンク２５はフロントパネルのピン部２０ａを支点に左方向に回転する。一方、トレイドアはリンクのピン部２２ａに係合しているため左方向に押され、本図には示されていないが、トレイドアのカムがフロントパネルのカムピンを基準にスライド動作し、トレイドアは意匠面を上側に向けたままトレイの下側に降りて水平に近い状態になり、トレイはリンク上を左方向にスライドして完全に開放する。
【００２３】
図５はトレイドアが閉まった時のトレイドアのカムの状態を示すフロント部の断面図である。トレイドアには左右にカム２２ａが設けられ、フロントパネル２０のカムピン部２０ｂと係合している。
【００２４】
図６はトレイドアが開いた時のトレイドアのカムの状態を示すフロント部の断面図である。トレイの開閉動作によりリンクが回転すると、トレイドアはリンクの回転動作とカムの軌跡に制御された動作をし、トレイが開いた状態では、トレイドアは意匠面を上側に向けたままトレイの下側に降りて水平に近い状態になる。
【００２５】
図８はトレイドアが開いた時の装置全体の形状を示す斜視図である。トレイ５ｂに押されたリンクを介してトレイドア２２はトレイ５ａの下に降り、水平に近い状態になっている。
【００２６】
図９はフロントのジャック接続部のドアを開いた時の装置全体の形状を示す斜視図である。ロックボタン２９を押すと、板バネに付勢され与圧をかけられたジャックドア２１が開き、映像と音声信号を接続するジャック類と、メモリーカードスロットが確認できる。ジャックメモリーカードは水平では接続または挿入時に手前のフロントパネルと接触するため、１０から３０°上に傾いている。
【００２７】
図１０はＩＣカードの挿入部のドアを開いた時の装置全体の形状を示す斜視図である。本実施例は、デジタル放送受信機能があるため、ＩＣカードの認識が必要である。そこで、フロントパネルの左下部にカードドア４４とその奥に、ＩＣカードスロットを設け、ＩＣカード１６を装着する。
【００２８】
図１２は本発明の表示管視野を示す側面図である。４２ａは本実施例の装置の動作状態を示す表示管の透し位置を示す。本実施例では、表示管を水平からの傾斜角度を３０°から４５°に傾けており、その表示を確認できる視野範囲（表示視野）は略水平から６０°以上まで確保しており、装置を低い位置に設置した場合の表示内容の視認性を向上している。
【００２９】
本発明に係る電子機器装置は、装置前面のフロントパネル及びトレイドアに回転可能に係合するリンクを設け、また、トレイドアにはフロントパネルに設けたカムピンと係合しトレイドアの動作軌跡を制御するカムを設けている。リンクは、ネジリバネにより光ディスクのトレイを押し込む回転方向に付勢され与圧がかけられている。
【００３０】
これにより、ユーザーが光ディスクの出し入れのためにリモコンもしくは装置本体のボタンによりトレイ開閉の操作を行うと、装置のシステムからＤＶＤドライブにトレイ開閉の制御信号が送られる。ＤＶＤドライブはトレイ開閉の制御信号を受診すると、内蔵するモーターの動力により、トレイ開閉動作を行う。ＤＶＤドライブのトレイが排出動作をすると、リンクはトレイに押されて回転し、リンクの回転動作とカムの軌跡に制御された動作により、トレイドアが上側の意匠面を上側に維持したままトレイの下側にスライドして開く。トレイドアが完全に開くと、トレイは連続してリンクの上を摺動して開く方向にスライドする。以上により、高品位な意匠を実現する、安価で高品位なトレイドアの開閉機構を提供することができる。
【図面の簡単な説明】
【００３１】
【図１】本発明の実施例の形態に係る装置全体の分解斜視図
【図２】本発明のフロントパネル部の分解斜視図
【図３】本発明のトレイドアが閉まった時のリンクの状態を示すフロント部の断面図
【図４】本発明のトレイドアが開いた時のリンクの状態を示すフロント部の断面図
【図５】本発明のトレイドアが閉まった時のトレイドアのカムの状態を示すフロント部の断面図
【図６】本発明のトレイドアが開いた時のトレイドアのカムの状態を示すフロント部の断面図
【図７】本発明の装置全体の形状を示す斜視図
【図８】本発明のトレイドアが開いた時の装置全体の形状を示す斜視図
【図９】本発明のフロントのジャック接続部のドアを開いた時の装置全体の形状を示す斜視図
【図１０】本発明のＩＣカードの挿入部のドアを開いた時の装置全体の形状を示す斜視図
【図１１】従来技術の表示管視野を示す側面図
【図１２】本発明の表示管視野を示す側面図
【符号の説明】
【００３２】
１…トップカバー、２…トップケース、３…ハードディスク、４…ハードディスクホルダ、
５…ＤＶＤドライブ、６…ハードディスク、７…ハードディスクホルダ、８…リアパネル、９…ファン、
１０…サイドカバー、１１…サイドカバー、１２…ボトムケース、１３…メイン基板、１４…電源基板、
１５…ＤＶＤホルダ、２０…フロントパネル、２１…ジャックドア、２２…トレイドア、２３…導光管、
２４…イルミネーションガイド、２５…リンク、２６…ネジリバネ、２７…板バネ、
２８…ジャック基板ホルダ、２９…ドアロックボタン、３０…ドアロックバネ、３１…受光窓、
３２…録画インジケータ、３３…録画インジケータ、３４…オイルダンパー、３５…ギヤＢ、
３６…コイルバネ、３７…ギヤＡ、３８…シャフト、３９…左ボタン、４０…左フロント基板、
４１…右ボタン、４２…右フロント基板、４３…フロントボトムケース、４４…カードドア、
４５…ジャック基板、５０…従来例のフロントパネル、５１…従来例の装置本体、５２…従来例の表示管
【図１】
2008041222.tif 000003
【図２】
2008041222.tif 000004
【図３】
2008041222.tif 000005
【図４】
2008041222.tif 000006
【図５】
2008041222.tif 000007
【図６】
2008041222.tif 000008
【図７】
2008041222.tif 000009
【図８】
2008041222.tif 000010
【図９】
2008041222.tif 000011
【図１０】
2008041222.tif 000012
【図１１】
2008041222.tif 000013
【図１２】
2008041222.tif 000014